(57)【特許請求の範囲】
【請求項１】
所定の記録符号化方式により符号化された主データの所定位置に挿入すべき結合ビットのビットパターンを決定するものとされ、上記主データを形成する信号単位のうちの共に固定のビットパターンを有するとともに前後関係にあるフレーム同期信号とサブコードシンクの２つの信号単位の間に挿入される結合ビットについては、上記主データとともに記録媒体に記録すべき副データに基づいて、上記結合ビットのビットパターンを決定することのできるビットパターン決定手段と、
上記ビットパターン決定手段により決定されたビットパターンの結合ビットを、上記符号化された主データの所定位置に挿入する結合ビット挿入手段と、
上記主データに上記結合ビットを挿入して形成される情報を、記録媒体に記録する記録手段と、
を備えていることを特徴とする記録装置。
【請求項２】
所定の記録符号化方式により符号化された主データの所定位置に挿入すべき結合ビットのビットパターンを決定するものとされ、上記主データを形成する信号単位のうちの共に固定のビットパターンを有するとともに前後関係にあるフレーム同期信号とサブコードシンクの２つの信号単位の間に挿入される結合ビットについては、上記主データとともに記録媒体に記録すべき副データに基づいて、上記結合ビットのビットパターンを決定することのできるビットパターン決定手順と、
上記ビットパターン決定手順により決定されたビットパターンの結合ビットを、上記符号化された主データの所定位置に挿入する結合ビット挿入手順と、
上記主データに上記結合ビットを挿入して形成される情報を、記録媒体に記録する記録手順と、
を実行することを特徴とする記録方法。
【請求項３】
少なくとも、所定の記録符号化方式により符号化された主データと、この主データの所定位置に挿入される結合ビットとから成る情報が記録される記録媒体から、上記結合ビットを抽出して読み出すことのできる読み出し手段と、
上記読み出し手段により読み出された結合ビットのビットパターンを利用して、副データとしてのデータ値を得るデータ値取得手段と、を備え、
上記読み出し手段は、
上記主データを形成する信号単位のうちで、共に固定のビットパターンを有するとともに前後関係にある２つの信号単位の間に挿入されている結合ビットを抽出し、
上記データ値取得手段は、
上記２つの信号単位が有するとされるビットパターンの少なくとも何れか一方と、上記結合ビットのビットパターンの組み合わせに基づいて、上記副データとしてのデータ値を得るようにされている
ことを特徴とする再生装置。
【請求項４】
上記２つの信号単位は、フレーム同期信号と、サブコードシンクである、
ことを特徴とする請求項３に記載の再生装置。
【請求項５】
少なくとも、所定の記録符号化方式により符号化された主データと、この主データの所定位置に挿入される結合ビットとから成る情報が記録される記録媒体から、上記結合ビットを抽出して読み出すことのできる読み出し手順と、
上記読み出し手順により読み出された結合ビットのビットパターンを利用して、副データとしてのデータ値を得るデータ値取得手順と、を実行するものであって、
上記読み出し手順は、
上記主データを形成する信号単位のうちで、共に固定のビットパターンを有すると共に前後関係にある２つの信号単位の間に挿入されている結合ビットを抽出し、
上記データ値取得手順は、
上記２つの信号単位が有するとされるビットパターンの少なくとも何れか一方と、上記結合ビットのビットパターンの組み合わせに基づいて、上記副データとしてのデータ値を得るようにされている
ことを特徴とする再生方法。
【請求項６】
上記２つの信号単位は、フレーム同期信号と、サブコードシンクである、
ことを特徴とする請求項５に記載の再生方法。
【請求項７】
所定の記録符号化方式により符号化された主データと、この主データの所定位置に挿入される結合ビットとから成る情報が記録され、
上記結合ビットは、副データとしてのデータ値に応じたビットパターンを有して記録され、
上記副データとしてのデータ値に応じたビットパターンを有する結合ビットは、
主データを形成する信号単位のうちで、共に固定のビットパターンを有するとともに前後関係にあるフレーム同期信号とサブコードシンクの２つの信号単位の間に挿入されている
ことを特徴とする記録媒体。
【発明の詳細な説明】
【０００１】
【発明の属する技術分野】
本発明は、記録媒体に対して情報を記録するための記録装置及びその方法と、記録媒体から情報を再生する再生装置及びその方法と、記録媒体とに関するものである。
【０００２】
【従来の技術】
光学ディスク状記録媒体として、例えばＣＤフォーマットのディスクの場合には、周知のようにして、ＥＦＭ（Eight to Fourteen Modulation）変調したデータがディスクに記録される。
ＥＦＭ変調は記録符号化方式の１つであり、ランレングスリミテッド（ＲＬＬ：Run Length Limited）符号化を行うものである。ランレングスリミテッド符号は、周知のようにして、最小ランｄと最大ランｋが所定となるように規定されている。なお、「ラン」とは‘０’と‘１’の２値による符号列において、‘１’と‘１’との間に連続する‘０’の数をいう。そして、ＥＦＭ変調としては、最小ランｄ＝２、最大ランｋ＝１０として規定されている。これは、ＮＲＺＩ記述に対応しては、最小反転間隔Ｔminが３Ｔ、最大反転間隔Ｔmaxが１１Ｔであるとして規定されていることに対応する。
【０００３】
そして、ＥＦＭ変調によっては、上記したランレングスの条件を満たすようにして、１シンボル８ビットの信号を１４チャンネルビットのＥＦＭワードに変換する。ただし、各ＥＦＭワードを連結した際に、前後関係にあるＥＦＭワードのビットパターンの組み合わせによっては、ランレングスの条件を満たさない場合がある。そこで、常にランレングスの条件を満たすために、１４チャンネルビットのＥＦＭワードごとの間に、結合ビットを挿入するようにしている。
【０００４】
ＣＤフォーマットの場合、上記結合ビットは３ビットとされているので、ビットパターンとしては、ランレングスの規則に従って、
０００
１００
０１０
００１
の４パターンが使用できる。これらのパターンのうちから、常にランレングスの条件を満たすことができるパターンを選択して、結合ビットとして挿入するものである。
【０００５】
また、結合ビットを３ビットとしていることによっては、ＥＦＭワード間に挿入すべきビットパターンを、複数のパターンから任意に選択できるだけの自由度が与えられているということがいえる。
そこで、このことを利用して、結合ビットのビットパターンとしては、上記したランレングスの条件を満たした上で、さらに、ＤＳＶ（Digital Sum Value）ができるだけ０に近くなるようにして選択されるようになっている。つまり、結合ビットをＤＳＶ制御のために用いるようにしている。
【０００６】
ＤＳＶとは、単位時間におけるデジタル信号の直流バランスを示す値であり、ビット１を＋１とし、ビット０を−１とした場合の積分値により表される。
例えば記録符号化処理としては、例えば、データ信号読取時において記録媒体に付着したゴミや傷等によって直流的なノイズが発生することが分かっている。そこで、記録媒体に記録されているデジタル信号が直流成分を含まないものであれば、後に直流ノイズ成分をフィルタで除去することも可能になるため、直流成分を０にすることが好ましいとされている。そして、このような直流成分発生の判断をＤＳＶの値を基に行うものである。ＤＳＶの値が０に収束すれば直流成分が発生していないことになり、逆に発散すれば直流成分が発生したことになる。
そして、上記のようにして結合ビットが挿入されたＥＦＭ符号化された符号列に対して、例えばＮＲＺＩ(Non Return to Zero Inverted) 変調を行う際には、挿入された結合ビットによって、符号列の反転／非反転が制御されることになる。これにより、ＥＦＭ変調された符号列のＤＳＶ値ができるだけ０となるように制御される。
【０００７】
【発明が解決しようとする課題】
結合ビットは、上記のようして記録符号化されたデータのランレングスの条件やＤＳＶなどの条件を満たすためだけに用いられている。これは、デジタル信号による記録媒体へのデータ記録という観点からすれば、結合ビットは、ＣＤに記録されるデジタル信号においてデータとして利用されない冗長的信号であるということがいえる。
【０００８】
周知のように、ＣＤフォーマットでは、５８８チャンネルビットのフレーム単位によって記録が行われることとなっている。１フレームは、２４チャンネルビットのSyncコードと、３３シンボルの（１シンボル分のサブコーディングを含む）ＥＦＭワード（１４チャンネルビット）と、各ＥＦＭワードの前後に配置される３４個の結合ビットから成る。従って、１フレーム内における結合ビットの総容量は、３×３４＝１０２チャンネルビットということになり、フレーム内における約１７％程度を占めるビット数を、データとしては利用していないことになる。
【０００９】
【課題を解決するための手段】
そこで本発明は上記した課題を考慮して、記録符号化された主データに挿入される結合ビットの少なくとも一部がデータとして有効に利用できるようにすることを目的とするものである。
そこで、所定の記録符号化方式により符号化された主データの所定位置に挿入すべき結合ビットのビットパターンを決定するものとされ、主データとともに記録媒体に記録すべき副データに基づいて、結合ビットのビットパターンを決定することのできるビットパターン決定手段と、このビットパターン決定手段により決定されたビットパターンの結合ビットを、符号化された主データの所定位置に挿入する結合ビット挿入手段と、主データに結合ビットを挿入して形成される情報を記録媒体に記録する記録手段とを備えて、記録装置を構成することとした。
また、記録方法として、所定の記録符号化方式により符号化された主データの所定位置に挿入すべき結合ビットのビットパターンを決定するものとされ、主データとともに記録媒体に記録すべき副データに基づいて結合ビットのビットパターンを決定することのできるビットパターン決定手順と、ビットパターン決定手順により決定されたビットパターンの結合ビットを、上記符号化された主データの所定位置に挿入する結合ビット挿入手順と、主データに結合ビットを挿入して形成される情報を記録媒体に記録する記録手順とを実行するように構成することとした。
【００１０】
上記各構成によると、副データに応じて、結合ビットのビットパターンを決定した上で、記録符号化された主データにおける所定位置に結合ビットを挿入するようにされる。これにより、記録媒体に記録される結合ビットのビットパターンを、副データのデータ値に対応させることが可能となる。
【００１１】
少なくとも、所定の記録符号化方式により符号化された主データと、この主データの所定位置に挿入される結合ビットとから成る情報が記録される記録媒体から結合ビットを抽出して読み出すことのできる読み出し手段と、この読み出し手段により読み出された結合ビットのビットパターンを利用して、副データとしてのデータ値を得るデータ値取得手段とを備えて再生装置を構成することとした。
【００１２】
また、再生方法としては、少なくとも、所定の記録符号化方式により符号化された主データと、この主データの所定位置に挿入される結合ビットとから成る情報が記録される記録媒体から結合ビットを抽出して読み出すことのできる読み出し手順と、この読み出し手順により読み出された結合ビットのビットパターンを利用して副データとしてのデータ値を得るデータ値取得手順とを実行するように構成することとした。
【００１３】
上記各構成によれば、記録媒体から読み出した結合ビットのビットパターンを利用して、データ値を求めるようにされる。つまり、結合ビットが有するビットパターンから意味のある副データとしての値を取得することが可能になるものである。
【００１４】
また、記録媒体としては、所定の記録符号化方式により符号化された主データと、この主データの所定位置に挿入される結合ビットとから成る情報が記録されるものとし、結合ビットは、副データとしてのデータ値に応じたビットパターンを有して記録されているように構成する。
【００１５】
上記した構成では、記録媒体に記録された結合ビットのビットパターンが副データとしてのデータ値を示していることになる。つまり、記録符号化された主データとともに、結合ビットの領域を利用して副データを記録した記録媒体が得られるものである。
【００１６】
【発明の実施の形態】
以下、本発明の実施の形態について説明を行うこととする。以降の説明は次の順序で行う。
１．ＣＤの信号フォーマット
２．結合ビット対応データ
２−１．結合ビット用データの挿入位置についての考察
２−２．エンコード例
３．システム構成
３−１．記録システム
３−２．再生システム
【００１７】
１．ＣＤの信号フォーマット
本実施の形態としては、記録媒体がＣＤ(Compact Disc)とされる場合を例に挙げることとする。そこで先ず、ＣＤに記録される信号のフォーマットについて説明を行っておくこととする。
【００１８】
図１は、ＣＤに記録される信号として、１フレームの構造を示している。ＣＤには、この図に示すフレームのシーケンスによりデジタル信号が記録される。
この図に示すようにして、１フレームは、５８８チャンネルビットにより形成される。
そして、２４チャンネルビットのSyncコードと、３２シンボル（３２個）のＥＦＭワード（１４チャンネルビット）と、各ＥＦＭワードの前後に配置される３４個の結合ビット（３ビット）から成る。
【００１９】
Syncコードは、フレーム同期のためのコードである。
このSyncコードは、図１において下側に示すようにして、１１Ｔ＋１１Ｔ＋２Ｔの反転間隔となるビットパターンにより形成されている。つまり、ＥＦＭ変調において規定される最大反転間隔Ｔmax＝１１Ｔが２回連続し、規則外の２Ｔが追加されたパターンを有している。
【００２０】
ＥＦＭワードは、８ビットのシンボルをＥＦＭ変調により１４ビットに変換して得られる信号単位である。
ＥＦＭ変調では、ランレングス規則は、最大反転間隔Ｔmax＝１１Ｔ〜最小反転間隔Ｔmin＝３Ｔとされている。そして、この規則に従って、１４ビット長のビットパターンをつくると、周知のようにして２６７パターンを得ることができる。そしてＥＦＭ変調としては、このうちの２５６パターンを用いて、１シンボル８ビットのデータに割り当てるようにするものである。
【００２１】
また、３ビットによる結合ビットは、ＥＦＭ符号化された信号がランレングス規則に違反しないようにすることと、ＤＳＶ制御を行うことを目的として挿入されるものである。
つまり、ＥＦＭワードを単純に連結していった場合、前後関係にあるＥＦＭワードのビットパターンの組み合わせによっては、ランレングスの規則に違反する場合が生じ得る。そこで、例えばＣＤの場合であれば、結合ビットとしては、最大反転間隔Ｔmax＝１１Ｔ、最小反転間隔Ｔmin＝３Ｔという、ランレングスの条件を満たすことのできるビットパターンを選択することになる。これと共に、ＤＳＶとしての値ができるだけ０に収束するような結合ビットのビットパターンを選択するようにされる。
このようにして結合ビットが挿入されたＥＦＭワードによる符号列に対して、ＮＲＺＩ(Non Return to Zero Inverted) 変調を行う際には、挿入された結合ビットによって、符号列の反転／非反転が制御されることになる。この結果、ＥＦＭ変調された符号列のＤＳＶ値ができるだけ０となるようにして制御が行われることとなる。つまり、ＤＳＶ制御が行われる。
【００２２】
そして、例えばフレーム内におけるＥＦＭワードとしては、先ず１番目のＥＦＭワードがサブコードとしての内容を有している。
また、これに続く２番目から１３番目までの１２個のＥＦＭワードによってメインデータが記録され、続く１４番目から１７番目までの４個のＥＦＭワードによっては、上記２番目から１３番目までの１２個のＥＦＭワードによるメインデータについてのパリティが記録される。
同様にして、１８番目から２９番目までの１２個のＥＦＭワードによりメインデータが記録され、続く３０番目から３３番目までの４個のＥＦＭワードによって、１８番目から２９番目までのＥＦＭワードによるメインデータについてのパリティが記録される。
【００２３】
また、図２には、上記した信号フォーマットにより記録された信号を、ＣＤから読み出した場合の例が示されている。
ＣＤから読み出された信号は、例えば図２（ａ）に示すようにしてＲＦ信号として得られる。
このＲＦ信号は、図２（ｂ）に示すチャンネルクロックの１周期を基準としてランレングス変調されることで、図２（ｃ）に示すような、ＮＲＺ(Non Return to Zero Inverted) 変調された符号列として得られる。
【００２４】
そして、上記図２（ｃ）に示すＮＲＺ符号列を、ＮＲＺＩ変調された信号として見た場合には、図２（ｄ）に示すようにして、各反転間隔は、最大反転間隔Ｔmax＝１１Ｔ〜最小反転間隔Ｔmin＝３Ｔの範囲内に収まっていることが分かる。つまり、ＥＦＭ変調におけるランレングスの条件を満足したものとなっている。
【００２５】
そして、この図２において示される再生信号についてのフレーム構成との対応としては、図２（ｅ）に示されている。
つまり、図２（ｄ）に示すはじめの１１Ｔ→１１Ｔ→５Ｔの区間においては、先の１１Ｔ＋１１Ｔ＋２Ｔの区間と、これに続く３Ｔの区間とに分かれる。そして、１１Ｔ＋１１Ｔ＋２Ｔの区間の信号が、Syncコードのビットパターンを形成し、残る後ろの３Ｔの区間の信号が結合ビットを形成する。ここで、SyncコードのビットパターンをＮＲＺＩ記述により示すと、図２（ｃ）にも示されているように、
Syncコード＝１００００００００００１００００００００００１０
となる。
【００２６】
また、これに続いて、図２（ｄ）において７Ｔ→３Ｔ→４Ｔから成る１４Ｔの区間の信号が、１つのＥＦＭワードのビットパターンを形成する。なお、この位置のＥＦＭワードは、Syncコードに続く最初のＥＦＭワードであるから、図１に示したように、サブコードとしてのデータが格納されることになる。
また、これに続く７Ｔの区間におけるはじめの３Ｔ分の区間の信号により結合ビットを形成し、この７Ｔの区間における残る４Ｔの区間と、次の１１Ｔの区間における前の１０Ｔ分の区間から成る、計１１Ｔの区間の信号によって、次のＥＦＭワードのビットパターンを形成するようになっている。
【００２７】
また、上記のようにしてＥＦＭワードの前後に挿入される結合ビットのビットパターンを図３に示す。
結合ビットは３ビットであるから、単純には、ＮＲＺ記述によると、
０００
００１
０１０
０１１
１００
１０１
１１０
１１１
の８パターンが得られることになる。しかしながら、ＥＦＭ変調におけるランレングス規則によると、最小反転間隔Ｔmin＝３Ｔであるから、ビット値‘１’と‘１’の間には、少なくとも‘０’が２つ連続する必要がある。従って、結合ビットとしては、‘１’が連続するビットパターンと、‘１’と‘１’の間に１つのみ‘０’が存在するビットパターンは使用できないことになる。
この結果、上記８パターンのうちから、
０１１
１０１
１１０
１１１
のビットパターンは除外されることになる。この結果、図３にも示すようにして、
０００
１００
０１０
００１
の４パターンが結合ビットとして使用できることになる。つまり、結合ビットとしては、この４パターンのうちから選択の任意性が与えられることになるものである。
【００２８】
また、各フレームのSyncコードの直後に位置するＥＦＭワードにより形成されるサブコードのフォーマットを、図４に示す。
フレームは先に図１に示した構造を有している。そして、再生時において、例えば連続する９８個のフレームからサブコードのＥＦＭワードを抽出する。そして、サブコードとしての各ＥＦＭワードを８ビットのシンボルにＥＦＭ復調したうえで、これらの９８フレーム分のサブコードのシンボルを集めることによって、図４に示す１サブコーディングフレームが形成される。
１サブコーディングフレームを形成する９８フレームにおいて、先頭の第１、第２のフレームのサブコードデータは、サブコード抽出のための同期パターンとされている。ここでは、この同期パターンについてサブコードシンクということにする。
【００２９】
ここで、第１フレームのサブコードシンクはＳ０といい、第２フレームのサブコードシンクはＳ１といいうものとする。
先に説明したように、ＥＦＭ変換は、ランレングス規則に従った２６７パターンのうちから２５６パターンを用いるようにされる。従って、２６７−２５５＝１１で表されるようにして、１１パターンは使用しないものとして規定されていることになる。
しかしながら、これらサブコードシンクＳ０，Ｓ１については、周知のようにして、ＥＦＭワードのビットパターンとして、上記した規定外の１１パターンのうちの特定の２パターンが用いられ、このパターンが常に用いられることとなっている。
サブコードシンクＳ０，Ｓ１の各々についてＮＲＺにより記述されるビットパターンは、図４にも示しているが次のようになる。
Ｓ０＝００１００００００００００１
Ｓ１＝０００００００００１００１０
【００３０】
そして、図４において、残る第３フレームから第９８フレームまでの９６フレームにより、各９６ビットのチャンネルデータが形成される。即ちＰ１〜Ｐ９６より成るＰチャンネルデータ，Ｑチャンネルデータ（Ｑ１〜Ｑ９６）、Ｒチャンネルデータ（Ｒ１〜Ｒ９６），Ｓチャンネルデータ（Ｓ１〜Ｓ９６），Ｔチャンネルデータ（Ｔ１〜Ｔ９６），Ｕチャンネルデータ（Ｕ１〜Ｕ９６），Ｖチャンネルデータ（Ｖ１〜Ｖ９６），Ｗチャンネルデータ（Ｗ１〜Ｗ９６）のサブコードデータが形成される。
【００３１】
周知のようにして、アクセス等の管理のためにはＰチャンネルとＱチャンネルが用いられる。ただし、Ｐチャンネルはトラックとトラックの間のポーズ部分を示しているのみで、より細かい制御はＱチャンネル（Ｑ１ 〜Ｑ９６）によって行なわれる。Ｒチャンネル〜Ｗチャンネルのデータは、例えばテキストデータを形成するために設けられる。
【００３２】
２．結合ビット用データ
２−１．結合ビット用データの挿入位置についての考察
先の図１及び図２による説明からも理解されるように、ＣＤフォーマットにおける結合ビットは、ランレングスの条件を満たすことと、ＤＳＶ制御のために用いられる信号である。
そして、結合ビットのビットパターンは４パターン在るものとして図３により説明したが、上記のようにして、ランレングス規則及びＤＳＶ制御の条件を満たしている限りは、結合ビットのビットパターンについて任意に選択して良いことになる。
【００３３】
そこで、このようにして結合ビットのビットパターンについて任意選択性があることを前提とすると、何らかの意味を持つデータの値と、任意に選択し得る結合ビットのビットパターンとを対応付けることが可能であるということがいえる。即ち、結合ビットのビットパターンを選択するのにあたっては、データの値に応じてビットパターンを決定し、決定されたビットパターンの結合ビットを符号列に挿入して記録を行うようにすればよいということである。
このようにすれば、結合ビットのビットパターンがデータの値としての意味を持つことになる。つまり、結合ビットの領域に対してデータを埋め込むことが可能となるものである。つまりＥＦＭワードとして記録される主データの他に、結合ビットの領域に対して副データを記録することが可能となる。
なお、ここでいう主データとしては、ＥＦＭワードとして記録されるデータであるから、ＣＤの場合には、デジタルオーディオデータとされる。また、この場合には、サブコーディングフレーム（図４）として得られるサブコードデータも主データに含まれるものとして考えることができる。
【００３４】
以降、結合ビットを利用して記録される本実施の形態としての副データについての説明を行っていくこととする。なお、本明細書では、結合ビットを利用して記録される副データについては、「結合ビット対応データ」ということにする。
そして先ず、結合ビット対応データが挿入されるべき結合ビットの位置について説明することとする。
【００３５】
先に、結合ビットのビットパターンは、任意選択性があると述べた。しかしながら、ＥＦＭワードは、実際のオーディオデータの内容に応じてそのビットパターンが変化する。そして、前後となる２つのＥＦＭフレームのビットパターンの組み合わせによっては、ランレングスの条件を満たそうとすると１つのビットパターンしか選択できない場合が生じ得ることが考えられる。つまり、結合ビットのビットパターンについての任意選択性が失われる場合のあることが可能性として考えられる。
従って、例えば結合ビットによりデータを記録するとした場合には、少なくとも二者択一が可能なだけの任意選択性が確実に得られる挿入位置の結合ビットを使用することが妥当であるということになる。
【００３６】
そこで、これまでに説明してきたＣＤフォーマットにおいて、結合ビットの任意選択性が確実に得られる結合ビットの挿入位置について考察してみる。
ここで、図１に示したフレーム構造において、Syncコードは、ＮＲＺ記述では図２（ｃ）に示したビットパターンを有している。つまり、ＮＲＺＩ記述では１１Ｔ＋１１Ｔ＋２Ｔの反転間隔が得られるようにされている。そして、このビットパターンは、フレームごとに同一とされる。つまり、このSyncコードは、メインデータの内容に依らず、常に一定であるということがいえる。
【００３７】
また、フレームにおいて、上記Syncコードに続く最初のＥＦＭワードには、図２にて説明したようにサブコードが格納される。ここで、サブコードとしてのＰチャンネル〜Ｗチャンネルのデータが格納される場合には、そのデータ内容に応じてＥＦＭワードのビットパターンは変化する。
しかしながら、ＥＦＭワードに格納されるサブコードが、サブコードシンクＳ０，Ｓ１である場合には、図４にても説明したようにして、サブコードシンクＳ０，Ｓ１ごとに固有、かつ一定であり、しかも、ＥＦＭ変換における規定外のビットパターンが使用される。従って、サブコードシンクＳ０，Ｓ１を格納するＥＦＭワードに関しては、常に一定のビットパターンであるということになる。
【００３８】
ここで、図５に、サブコードとしてのＥＦＭワードにサブコードシンク（Ｓ０又はＳ１）が格納されるフレームにおける、Syncコードとサブコードシンクを含む部分の符号列の状態を、ＮＲＺ記述によって示す。
この図に示すようにして、先ず、Syncコードと、サブコードシンクＳ０としてのＥＦＭワードは、その間に３ビットの結合ビット［ｘｘｘ］が挿入されて連結され、符号列を形成する。
同様にして、Syncコードと、サブコードシンクＳ１としてのＥＦＭワードについても、その間に３ビットの結合ビット［ｙｙｙ］が挿入されて連結されることで符号列を形成している。
【００３９】
結合ビットとしては、図３に示したようにして４パターンが存在する。そのうえで、上記図５に示した２つの符号列のうち、［Syncコード−結合ビット（ｘｘｘ）−サブコードシンクＳ０]による符号列のビットパターンの場合であれば、ＥＦＭ変調のランレングスの条件を満たす結合ビットとしては、図６に示すようにして、
パターンＡ：０００
パターンＢ：０１０
パターンＣ：００１
の３パターンを選択して使用することができる。
また、［Syncコード−結合ビット（ｙｙｙ）−サブコードシンクＳ１]による符号列のビットパターンの場合には、同じく図６に示すようにして、ＥＦＭ変調のランレングスの条件を満たす結合ビットとしては、
パターンＤ：０１０
パターンＥ：００１
の２パターンを選択して使用することができる。
【００４０】
このようにして、［Syncコード−結合ビット（ｘｘｘ）−サブコードシンクＳ０]による符号列を形成する結合ビット（ｘｘｘ）については、３パターンの任意選択性が与えられるということがいえる。
また、［Syncコード−結合ビット（ｙｙｙ）−サブコードシンクＳ１]による符号列を形成する結合ビット（ｙｙｙ）については、３パターンの任意選択性が与えられることになる。そして、何れの符号列に関しても、Syncコードとサブコードシンク（Ｓ０又はＳ１）のビットパターンの組み合わせは変わることが無く、上記図６に示した任意選択性は、常に得られるということがいえる。
【００４１】
そこで本実施の形態では、このようにして、［Syncコード−結合ビット（ｘｘｘ）−サブコードシンクＳ０]による符号列を形成する結合ビット（ｘｘｘ）と、［Syncコード−結合ビット（ｙｙｙ）−サブコードシンクＳ１]による符号列を形成する結合ビット（ｙｙｙ）とに所定規則によって意味を与え、エンコードを行う副データとしてのデータ値を格納するようにされる。
図６に示す場合であれば、サブコードシンクＳ０の結合ビット（ｘｘｘ）には３パターンが与えられ、サブコードシンクＳ１の結合ビット（ｙｙｙ）には２パターンが与えられるから、３×２＝６通りの意義を有するデータを、９８フレームごとに記録することが可能となる。
【００４２】
なお、前述もしたように、結合ビットは、ランレングスの条件だけではなく、ＤＳＶ制御の条件も満たすようにして選択されるべきものである。従って、上記のようにして、ランレングスの条件に基づいてのみ、サブコードシンクＳ０の結合ビット（ｘｘｘ）と、サブコードシンクＳ１の結合ビット（ｙｙｙ）とについて任意選択性を与えた場合には、ＤＳＶ値がアンバランスとなる可能性がある。しかしながら、サブコードシンクＳ０の結合ビット（ｘｘｘ）と、サブコードシンクＳ１の結合ビット（ｙｙｙ）は、それぞれ９８フレームごとに１回ずつしか現れないので、ＤＳＶ値のアンバランスは、問題にならない程度に抑えることができる。また、他の結合ビットによりそのアンバランスをキャンセルすることも可能な場合は、充分にあると考えられるから、特に問題にはならない。
【００４３】
２−２．エンコード例
上述したように、本実施の形態の結合ビット対応データのフォーマットとしては、サブコードシンクＳ０としてのＥＦＭワードの直前に挿入される結合ビット（ｘｘｘ）と、サブコードシンクＳ１としてのＥＦＭワードの直前に挿入される結合ビット（ｙｙｙ）について、結合ビット対応データ（副データ）としてのデータを埋め込むこととしている。
そこで、続いては、このような結合ビット対応データを結合ビットに埋め込むためのエンコード例について、先ず図７を参照して説明する。
【００４４】
図７においては、５つのサブコーディングフレームによって１つの結合ビット対応データとしてのデータ単位が形成される場合を示している。
さらに、ここでは、５つのサブコーディングフレームにより１つの結合ビット対応データとしてのデータ単位を形成するので、各サブコーディングフレームに格納されるサブコードシンクＳ０，Ｓ１については、Ｓ０[０]〜Ｓ０[４]、及びＳ１[０]〜Ｓ１[４]と記述する。
また、結合ビット対応データを埋め込むべき１バイトデータを、ここではＫとし、この１バイトデータを形成するとされる各ビットについては、ＭＳＢ側からＬＳＢにかけて、それぞれＫ［７］〜Ｋ［０］と記している。
また、以降の説明において記述されるパターンＡ〜Ｅとは、図６にて説明した結合ビットのパターンのことを指す。
【００４５】
図７に示すように、先ず、サブコードシンクＳ０[０]対応の結合ビットには、パターンＡを選択する。このパターンＡは、結合ビット対応データについてのデータ単位ごとに付加される同期信号（Sync）であるとして規定される。
【００４６】
パターンＡは、先の図３からもわかるように、結合ビットとしてのビットパターンのうちで、唯一、信号の反転が生じない、［０００]のパターンである。従って、Syncコードパターンとサブコードシンクとの極性をみることによって、他のＳ０対応結合ビットのパターンであるパターンＢ，Ｃとの区別を、より正確に行うことが可能である。つまり、サブコードシンクＳ０である場合を例にすると、サブコードシンクＳ０の場合において、Syncコードの最後のビットと、サブコードシンクの最初のビットが同極性で在れば、結合ビットがＡであるということが認識できる。
そして、このパターンＡとしての同期信号をトリガとして使用することで、以降説明する各サブコードシンクに対応するデータ列の順序をより正しく得ることが可能になる。
【００４７】
また、サブコードシンクＳ１［０］対応の結合ビットは、パリティＰとして機能させることとしている。そこで、この場合には、格納すべきパリティＰの値として、パターンＤ，Ｅの何れかを選択するようにしている。ここで、パターンＤ，Ｅは、データ値として（０，１）に対応するものとして規定されている。つまり、パターンＤ，Ｅの何れかを選択することにより、パリティビットＰとして、（０，１）の何れかの値を選択することになるものである。
【００４８】
そして、残るサブコードシンクＳ０[１]−Ｓ１[１]，Ｓ０[２]−Ｓ１[２]，Ｓ０[３]−Ｓ１[３]，Ｓ０[４]−Ｓ１[４]に対応する各結合ビットにより、ビットＫ［７］〜Ｋ［０］の値が示されることとなって、１バイトのデータ内容が表現される。
ここで、サブコードシンクＳ０に対応しては、パターンＢ，Ｃは、図示するようにして、１ビットが取る値として（０，１）に対応するものとして規定している。
そこで、例えばビットＫ［７］（ＭＳＢ）としてビット値が‘１’をとるものとすれば、サブコードシンクＳ０[１]に対応する結合ビットとしては、パターンＣを選択することになる。
【００４９】
また、先にも述べたようにして、サブコードシンクＳ１に対応しては、パターンＤ，Ｅが、ビット値（０，１）に対応するものとして規定されている。そこで、ＭＳＢの次の下位ビットであるビットＫ［６］が‘０’をとるものとすれば、パターンＤを選択することになる。
【００５０】
以降の下位のビットＫ［５］〜［０］に対応するサブコードシンクＳ０［２］，Ｓ１［２］，Ｓ０［３］，Ｓ１［３］，Ｓ０［４］，Ｓ１［４］についても、同様である。つまり、ビットＫ［５］〜［０］に対応するが実際に取るべき値に応じて、サブコードシンクＳ０に対応する結合ビットでは、パターンＢ，Ｃの何れかを選択する。また、サブコードシンクＳ１に対応する結合ビットでは、パターンＤ，Ｅの何れかを選択する。
このようなエンコードの仕方では、例えば１秒間（＝７５サブコーディングフレーム）につき、１５（＝７５／５）バイトのデータを埋め込むことができる。
【００５１】
続いて、図８を参照して、結合ビット対応データ（副データ）の埋め込みのためのエンコーディングについての他の例について説明する。
この場合には、連続する９個のサブコーディングフレームに対応して、結合ビット対応データとしての１データ単位を形成する。ここでは、これら９個のサブコーディングフレームに格納されるサブコードシンクＳ０，Ｓ１について、Ｓ０[０]〜Ｓ０[８]、及びＳ１[０]〜Ｓ１[８]ということにする。
この場合にも、サブコードシンクＳ０[０]に対応する結合ビットとしてはパターンＡを選択することで同期信号（Sync）として機能させている。また、サブコードシンクＳ１[０]に対応する結合ビットとしても、パリティビットＰとして、パターンＤ，Ｅ（０，１）のうち何れかが選択される。
【００５２】
この場合にも、このデータ単位に対して結合ビット対応データ（副データ）として埋め込まれるデータ長は１バイト（８ビット）である。但し、この場合には、データについての訂正能力を与えるために、ビットＫ［７］〜Ｋ［０］の各々に対応して反転ビットが設けられる。この反転ビットは、それぞれ反転ビットＫ:inv［７］〜Ｋ:inv［０］として示されている。
そして、この場合には、ビットＫ［７］〜Ｋ［０］は、それぞれサブコードシンクＳ０［１］［２］［３］［４］［５］［６］［７］［８］に対応する各結合ビットが対応するようにされている。また、反転ビットＫ:inv［７］〜Ｋ:inv［０］は、それぞれサブコードシンクＳ１［１］［２］［３］［４］［５］［６］［７］［８］に対応する各結合ビットが対応するようにされている。つまり、同じサブコーディングフレームに格納されるサブコードシンクＳＯ，Ｓ１に対応する２つの結合ビットの組により、１つのビット値と、このビット値に対応する反転ビットの組が得られるものである。
【００５３】
そして、上記サブコードシンクＳ０［１］［２］［３］［４］［５］［６］［７］［８］に対応する結合ビットの各々については、ビットＫ［７］〜Ｋ［０］が実際に取るべき値に応じて、パターンＢ，Ｃの何れかが選択される。
また、サブコードシンクＳ１［１］［２］［３］［４］［５］［６］［７］［８］に対応する各結合ビットには、上記ビットＫ［７］〜Ｋ［０］の値を反転して得られる反転ビットＫ:inv［７］〜Ｋ:inv［０］が取るべき値に応じて、パターンＤ，Ｅの何れかが選択される。
【００５４】
このようなエンコードとすれば、サブコードシンクＳ０側のデータとＳ１側のデータから、それぞれ、ビットＫ［７］〜Ｋ［０］と、反転ビットＫ:inv［７］〜Ｋ:inv［０］による、互いのビット値が反転した２バイトのデータが得られ、また、そのパリティビットＰを得ることができる。
そこで、例えばビットＫのデータ列とパリティＰとによってビットＫについて誤りがあるかどうかを判定することができる。そして、エラー有りと判定された場合には、ビットＫと反転ビットＫ:invの各データ列について排他的論理和をとることで、エラー箇所を特定して訂正することが可能になる。
【００５５】
なお、ここでのデータエンコード例としては、説明を分かりやすいものとするために、１バイトのデータを埋め込むための簡単な例を示しているに過ぎない。そして、データの信頼性を向上するために、例えばスクランブルやインターリーブを用いたデータの拡散、及び同一データの繰り返し記録など、書き込みデータの用途等に応じて適切な手法を用いるなど、より複雑なデータエンコードを行うことは容易に可能である。
【００５６】
３．システム構成
３−１．記録システム
続いて、結合ビット対応データを副データとしてエンコードしてＣＤに記録するための。本実施の形態の記録システムについて、図９を参照して説明する。この図においては信号処理過程をブロックとして示している。
【００５７】
この図に示すようにして、例えばデジタルオーディオデータとされる主データは、スクランブル処理１によって所定規則に従ってスクランブル処理が施された後、Ｃ２エンコード処理２に移される。
【００５８】
Ｃ２エンコード処理２としては、ＣＩＲＣ(Cross InterLeaved Reed-Solomon Code)方式によるエラー訂正符号として、Ｃ２パリティを付加するための処理を実行する。そして、次のインターリーブ処理３により、Ｃ２パリティが付加されたデータについてインターリーブを施す。そして、このインターリーブが施されたデータに対して、Ｃ１エンコード処理４によって、ＣＩＲＣ方式によるもう１つのエラー訂正符号である、Ｃ１パリティを付加する。
【００５９】
Ｃ１パリティが付加されたデータは、奇数遅延処理５によって奇数遅延が行われたうえで、次のパリティ反転処理６によってパリティの値について反転を行う。そして、パリティ反転処理６を経たデータを、ＥＦＭ変調処理７によってＥＦＭ変調を施す。これにより、例えば図１に示したフレームを形成する１４チャンネルビットＥＦＭワードが得られる。また、ＥＦＭ変調処理７によって得られるＥＦＭワードのなかには、フレームにおいて最初となるサブコードとしてのＥＦＭワードも含まれている。従って、サブコードシンクＳ０，Ｓ１としてのＥＦＭワードも、９８フレームごとに対応する間隔で、ＥＦＭ変調されたＥＦＭワードとして得られることになる。
このようにしてＥＦＭ変調処理７により得られたＥＦＭワードは、合成処理１１に渡されることになる。
【００６０】
一方、結合ビットに埋め込まれて記録されるべき結合ビット対応データ（副データ）は、結合ビット対応データエンコード処理８によってエンコードが行われる。つまり、例えば図７によって説明したようにして、同期信号及びパリティの挿入、及び結合ビット対応データのデータ値に対応して、サブコードシンクＳ０，Ｓ１の直前に位置する結合ビットのビットパターンを決定するための処理を実行する。また、図８に示したエンコードに対応する場合には、反転ビットに対応した結合ビットのビットパターンも決定することになる。
【００６１】
結合ビット発生処理９では、原則として、ＥＦＭ変調処理７によって得られるＥＦＭワードのビットパターンを参照しながら、ランレングス規則とＤＳＶ制御の条件を満足するとされる結合ビットのビットパターンを発生させる。
但し、サブコードシンクＳ０，Ｓ１の直前の結合ビットについては、上記のようにして結合ビット対応データエンコード処理８により決定された結合ビットのビットパターンに応じて、ビットパターンを発生させる。
そして、このようにして発生されたビットパターンの結合ビットを合成処理１１に渡すようにされる。
【００６２】
また、Syncコードパターン発生処理１０によっては、先に図１、図２などにより説明したようにして、１１Ｔ＋１１Ｔ＋２Ｔによる反転間隔を有するSyncコードとしてのビットパターンを発生させ、合成処理１１に渡すようにしている。
【００６３】
合成処理１１としては、例えばSyncコードパターン発生処理１０により発生されたSyncコードを先頭に、ＥＦＭ変調処理７により得られたＥＦＭワードを配列させる。つまり、Syncコードを先頭としたＥＦＭワードの符号列を得る。そして、このようにして得られた符号列におけるＥＦＭワードの前後に対して、結合ビット発生処理９によって発生された、しかるべきビットパターンの結合ビットを挿入する。これにより、図１に示したフレーム構造による記録信号が得られることになる。そして、このフレームのシーケンスによる記録信号をＣＤに記録する。
【００６４】
そして、上記のようにして処理された記録信号が記録されたＣＤとしては、主データとなるオリジナルのオーディオデータ（サブコードデータも含む）だけではなく、これ以外の副データが結合ビットの領域に記録されていることになる。
【００６５】
３−２．再生システム
続いては、副データが結合ビットの領域に記録された本実施の形態のＣＤに対応して再生を行うための再生システムの構成について、図１０を参照して説明する。なお、この図においても、各再生信号処理をブロックにより示している。
【００６６】
ＣＤとしてのディスクから読み出された信号は、同期検出処理２１によって、Syncコードパターンの検出を行う。なお、周知のようにして、実際には、ウィンドウ保護、内挿処理、及び前方／後方保護などのいわゆるシンク保護処理が行われる。
【００６７】
同期検出処理２１によってはフレーム周期に同期して以降の処理を実行することができる。そして、フレーム単位ごとにＥＦＭ復調処理２２としての信号処理が施される。これにより、１４チャンネルビットのＥＦＭワードは、８ビットで１シンボルの信号に戻されるようにして変換される。
また、本実施の形態の場合、同期検出処理２１によって得られたフレーム単位の信号はサブコードシンク検出処理２９に対しても渡される。ここでは、入力された信号から、サブコードシンクＳ０，Ｓ１を検出する。そして、サブコードシンクＳ０，Ｓ１を検出した場合には、その検出タイミングを結合ビット対応データデコード処理３０に通知する。
【００６８】
結合ビット対応データデコード処理３０としては、サブコードシンク検出処理２９からのサブコードシンクＳ０，Ｓ１検出の通知に基づいて、例えば同期検出後のフレームの信号におけるサブコードシンクＳ０，Ｓ１の位置を特定し、さらにこの位置を特定したサブコードシンクＳ０，Ｓ１の直前に挿入されていた結合ビットを抽出する。そして、抽出した結合ビットについてのデコード処理を行う。
この段階において抽出した結合ビットは、サブコードシンクＳ０，Ｓ１の何れに対応して挿入されていたものであるのかは識別できていることになる。そして、結合ビット対応データデコード処理３０は、このサブコードシンクＳ０，Ｓ１との対応と、その抽出した結合ビットが有しているビットパターンとに基づいて、例えば以下のような処理を実行する。
【００６９】
例えば、再生すべき副データが、先に図７に示した方式によりエンコードされたデータであるとすれば、先ず、サブコードシンクＳ０［０］に対応した結合ビットのビットパターンとしてパターンＡを検出するようにされる。つまり、結合ビット対応データとしてのデータ単位に同期させるための同期信号を検出する。
【００７０】
そして、この同期信号が検出されたのであれば、続いては、サブコードシンク検出処理２９により次のサブコードシンクＳ１［０］が検出され、その旨が通知される。そこで、結合ビット対応データデコード処理３０では、このサブコードシンクＳ１に対応する結合ビットがパターンＤ，Ｅの何れであるのかを判定することにより、パリティビットＰとしてのビット値を得る。
【００７１】
さらに続いては、順次、サブコードシンク検出処理２９により、サブコードシンクＳ０［１］→Ｓ１［１］→Ｓ０［２］→Ｓ１［２］→Ｓ０［３］→Ｓ１［３］→Ｓ０［４］→Ｓ１［４］と検出が行われる。そこで、結合ビット対応データデコード処理３０は、各サブコードシンクＳ０，Ｓ１を検出したことがが通知される都度に、これに対応して抽出した結合ビットのビットパターンがパターンＢ，Ｃ、若しくはパターンＤ，Ｅの何れであるのかを判定して、各ビットＫ［７］（ＭＳＢ）〜Ｋ［０］（ＬＳＢ）の値を得る。
このような処理が実行されることで、例えば１バイトの結合ビット対応データ（副データ）が得られる。そして、この処理を繰り返していくことで、以降の結合ビット対応データを１バイトずつ得ていくことができる。
【００７２】
ここで、上記図９及び図１０に示した記録システム及び再生システムに対応する記録装置及び再生装置の実際としては、各図により説明した各処理が実現されるようにして構成すればよいことになる、
そして、例えば記録装置としては、結合ビット対応データ（副データ）に対応して結合ビットのビットパターンを発生する回路をエンコーダ機能として追加すればよい。また、再生装置としては、結合ビットを抽出して、この抽出した結合ビットのビットパターンを解析して、結合ビット対応データとしてのデータ値に置き換えるようなデコード機能を追加すればよい。
つまり、例えばディスクに形成されているトラックのウォブル（蛇行形状）やピットの位相変調などの物理的な加工は必要ない。そして、例えば実際の記録装置、再生装置に搭載されるＬＳＩについて簡単な構成の回路を追加するという設計変更だけでよい。従って、本実施の形態としての機能追加にあたっては、設計などの製造効率の低下や、コストアップが抑えられることになる。
【００７３】
ところで、このようにして記録再生される結合ビット対応データ（副データ）についての実際の用途として、例えば１つには、スクランブル、マスキングなどの暗号化システムに適用することが考えられる。この場合には、例えば主データを暗号化して、図９に示したスクランブル処理１からＥＦＭ変調処理７までの処理を施して記録信号を生成する。
そのうえで、結合ビット対応データ（副データ）としては、上記主データを暗号化した際に使用した暗号鍵とし、この暗号鍵のデータを結合ビットに記録するようにされる。そして、再生側としては、結合ビットに埋め込まれたデータである暗号鍵を再生してデコード可能に構成する。これにより、暗号鍵についてのデコード機能を有している正規の再生装置によってのみ、暗号鍵を再生して得て、暗号を解読して正常に主データを再生出力することが可能になるというシステム構成を得ることができる。
また、著作権保護のために、コピー禁止／許可の情報などを結合ビット対応データ（副データ）として記録することも考えられる。
さらには、ＣＤ−Ｒ／ＲＷなどの記録可能なメディアにも対応して副データを記録可能なシステムを構成すれば、例えば、ディスクを作成した機種が識別できるような情報を結合ビット対応データとして記録することなども考えられる。これによっては、違法コピーの追跡調査の効率をより高いものとすることができる。
このようにして、本実施の形態による結合ビット対応データの用途は、各種考えられるものであり、また、特に限定されるべきものではない。
【００７４】
また、上記実施の形態としてはＣＤシステムを例に挙げているが、例えば、光磁気ディスクに対応して圧縮オーディオデータを記録再生するＭＤ（ミニディスク）システムなどに代表されるように、結合ビットが挿入されるようなフォーマットの信号が記録再生されるシステム全般に対して本発明は適用できる。従って、例えばテープ状記録媒体やメモリ素子を備えるものなどをはじめ、記録媒体がディスクメディア以外である場合にも適用はできるものである。
また、これに伴って、副データとしての埋め込みを行う結合ビットの挿入位置としても、実施の形態にあるような、Syncコード（フレーム同期信号）とサブコードシンクとの間に限定されるものではない。
即ち、実施の形態としては、結合ビットの前後の信号単位のビットパターンが固定となる代表例として、Syncコード（フレーム同期信号）とサブコードシンクの間に副データを埋め込むこととしているものである。
従って本発明における副データの埋め込み位置としては、例えば結合ビットの前後の信号単位のビットパターンなどに応じて、結合ビットのビットパターンについて任意選択性が確実に得られる挿入位置でさえあればよいことになる。
【００７５】
【発明の効果】
以上説明したようにして本発明は、副データに基づいて結合ビットのビットパターンを決定したうえで、この結合ビットを記録符号化された主データの所定位置に挿入する。そして、このようにして得られる情報を記録媒体に記録するようにしている。
即ち、本発明としては、結合ビットについて、そのビットパターンを選択することによりデータとしての機能を与えていることになる。換言すれば、結合ビットに対して副データを埋め込むようにして記録しているものである。
これにより、これまではデータとしての意義を有さない結合ビットの領域をデータ領域として使用できることになるので、データの冗長度がそれだけ低くなって、記録媒体の記録容量を有効に利用することが可能となる。
【００７６】
また、データとは本来関係のなかった結合ビットに対してデータを記録するのであるから、副データを記録するのにあたり、本来の主データが影響を受けることもない。従って、例えば、既に存在するパッケージメディアについて、何らかの付加情報を記録したいような場合にも、既に主データとして記録される内容にはなんの加工も施さないようにしたうえで、副データの記録により付加情報を記録することができる。つまり、例えば既存のパッケージメディアについて、後から拡張性を与えることも容易に可能となるものである。
【００７７】
そして本発明としては、上記のようにして主データと共に結合ビットとしての副データが記録された記録媒体から情報を読み出して結合ビットを抽出し、この抽出した結合ビットのビットパターンを利用して、副データとしてのデータ値を得るようにもされる。つまり、結合ビットして記録された副データをデコードして取得するようにされる。
このようにして結合ビットとして記録された副データが再生可能となることで、副データの適用の仕方にも依るが、例えば著作権保護や暗号化などの機能を追加して、これまでよりも付加価値の高いシステムを提供することができる。
【００７８】
また、このようにして副データが結合ビットとして記録される記録媒体としては、先にも述べたように、その容量が有効に利用されていることになる。
また、既存の結合ビットを利用してデータが記録されるから、特に記録媒体の物理的フォーマットを変更したり、新たに規定する必要がない。
【図面の簡単な説明】
【図１】ＣＤに記録される信号のフレーム構造を示す説明図である。
【図２】ＣＤに記録される信号のフォーマットを再生信号の状態により示す説明図である。
【図３】結合ビットのビットパターンを示す説明図である。
【図４】サブコーディングフレームの構造を示す説明図である。
【図５】  Syncコードとサブコードシンク、及びその間に挿入される結合ビットの符号列を示す説明図である。
【図６】  Syncコードとサブコードシンクの間に挿入される結合ビットのビットパターンを示す説明図である。
【図７】本実施の形態における結合ビット対応データのエンコード例を示す説明図である。
【図８】本実施の形態における、結合ビット対応データのエンコードについての他の例を示す説明図である。
【図９】本実施の形態に対応する記録システムの構成を示すブロック図である。
【図１０】本実施の形態に対応する再生システムの構成を示すブロック図である。
【符号の説明】
１  スクランブル処理、２  Ｃ２エンコード処理、３  インターリーブ処理、４  Ｃ１エンコード処理、５  奇数遅延処理、６  パリティ反転処理、７  ＥＦＭ変調処理、８  結合ビット対応データエンコード処理、９  結合ビット発生処理、１０  Syncコードパターン発生処理、１１  合成処理、２１  同期検出処理、２２  ＥＦＭ復調処理、２３  偶数遅延処理、２４  パリティ反転処理、２５Ｃ１デコード処理、２６  デインターリーブ処理、２７  Ｃ２デコード、２８デスクランブル処理
【図１】
0003714301.tif 000002
【図２】
0003714301.tif 000003
【図３】
0003714301.tif 000004
【図４】
0003714301.tif 000005
【図５】
0003714301.tif 000006
【図６】
0003714301.tif 000007
【図７】
0003714301.tif 000008
【図８】
0003714301.tif 000009
【図９】
0003714301.tif 000010
【図１０】
0003714301.tif 000011